(57)【要約】【課題】上部容器と下部容器との間の摺動性を確保しながら、相互間のガタつきを抑える。【解決手段】冷蔵庫本体３に設けられる野菜室７と、野菜室７に配置される下部野菜ボックス４３と、下部野菜ボックス４３の上に前後方向に移動自在に載せられる上部野菜ボックス４５とを有する。下部野菜ボックス４３と上部野菜ボックス４５との左右両側部での上下方向の互いの下部当接面７５ａ及び上部当接面７７ａは、水平面に対し左右方向に沿って傾斜している傾斜面であり、左右両側部の傾斜面は左右対称形状である。【選択図】図６
2019002600.tif 000002
【特許請求の範囲】
【請求項１】
冷蔵庫本体に設けられる貯蔵室と、
前記貯蔵室に配置される下部容器と、
前記下部容器の上に前後方向に移動自在に載せられる上部容器と、を有し、
前記下部容器と前記上部容器との左右両側部での上下方向の互いの当接部は、少なくともいずれか一方が水平面に対し左右方向に沿って傾斜している傾斜面であり、
前記下部容器と前記上部容器との少なくともいずれか一方に設けられた左右両側部の前記傾斜面は、左右方向に沿う傾斜方向が互いに逆方向であることを特徴とする冷蔵庫。
【請求項２】
前記傾斜面は、前記貯蔵室の中心側が外側よりも上下方向で下方となるよう傾斜していることを特徴とする請求項１に記載の冷蔵庫。
【請求項３】
前記傾斜面は、前記貯蔵室の中心側が外側よりも上下方向で上方となるよう傾斜していることを特徴とする請求項１に記載の冷蔵庫。
【請求項４】
前記上部容器は、前記下部容器の上に載せた状態で下部が、下部容器の上方開口部から内部に入り込み、前記下部容器の内部に入り込んだ部分の前記上部容器の下部の左右方向の幅は、前記下部容器の上方開口部の左右方向の幅より小さいことを特徴とする請求項１ないし３のいずれか１項に記載の冷蔵庫。
【発明の詳細な説明】
【技術分野】
【０００１】
本発明は、貯蔵室に配置した下部容器の上に上部容器が載せられる冷蔵庫に関する。
【背景技術】
【０００２】
特許文献１には、冷蔵庫の野菜室に野菜等の食品を収納する容器が設けられ、容器の開口した上部に比較的底の浅い小ケースを、前後方向に摺動可能に載置することが開示されている。
【先行技術文献】
【特許文献】
【０００３】
【特許文献１】特開２００８−４５８４５号公報
【発明の概要】
【発明が解決しようとする課題】
【０００４】
ところで、野菜室の下部に位置する容器及び上部に位置する小ケースは、互いの摺動性確保や、部品の製造管理のために相互間にある程度のクリアランスが必要となっている。ところが、クリアランスが大きいと、容器と小ケースとの間のガタつきが大きくなってしまう。
【０００５】
そこで本発明は、上部容器と下部容器との間の摺動性を確保しながら、相互間のガタつきを抑えることを目的としている。
【課題を解決するための手段】
【０００６】
本発明の実施の形態の冷蔵庫は、冷蔵庫本体に設けられる貯蔵室と、前記貯蔵室に配置される下部容器と、前記下部容器の上に前後方向に移動自在に載せられる上部容器と、を有する。前記下部容器と前記上部容器との左右両側部での上下方向の互いの当接部は、少なくともいずれか一方が水平面に対し左右方向に沿って傾斜している傾斜面を備える。前記下部容器と前記上部容器との少なくともいずれか一方に設けられた左右両側部の前記傾斜面は、左右対称形状である。
【図面の簡単な説明】
【０００７】
【図１】本発明の実施形態に係わる冷蔵庫の正面図である。
【図２】図１の冷蔵庫の右側方から見た断面図である。
【図３】図１の冷蔵庫の野菜室に配置する下部野菜ボックス及び上部野菜ボックスを示す側面図である。
【図４】図３の下部野菜ボックス及び上部野菜ボックスの正面図である。
【図５】図３の下部野菜ボックス及び上部野菜ボックスの平面図である。
【図６】図３のＡ−Ａ断面図である。
【図７】図６のＢ部の拡大図である。
【図８】他の実施形態を示す、図７に対応する説明図である。
【図９】他の実施形態を示す、図７に対応する説明図である。
【図１０】他の実施形態を示す、図７に対応する説明図である。
【図１１】他の実施形態を示す、図７に対応する説明図である。
【発明を実施するための形態】
【０００８】
以下、本発明の実施の形態を図面に基づき説明する。
【０００９】
図１、図２に示すように、本発明の実施形態に係わる冷蔵庫１は、冷蔵庫本体３の内部に貯蔵室として、上段から下段に向けて冷蔵室５及び野菜室７を順次設け、野菜室７の下部には製氷室９と上冷凍室１１とを左右に並べて設けてある。さらに、貯蔵室として、製氷室９及び上冷凍室１１の下部には、下冷凍室１３を設けてある。各貯蔵室は隔壁により仕切ってある。なお、以下の説明での「前後方向」は、図２中で左側の冷蔵庫前面側を前、右側の冷蔵庫裏面（奥）側を後とした前後方向であり、「左右方向」は図１中の冷蔵庫前面側から見て左右方向である。
【００１０】
冷蔵室５の前面には、冷蔵室５の前面開口部を開閉する左右の開閉扉１５，１７を設けている。左の開閉扉１５は、図１中で左側端部の図示しないヒンジを介して左右に開閉し、右の開閉扉１７は、図１中で右側端部の図示しないヒンジを介して左右に開閉する。
【００１１】
野菜室７、製氷室９、上冷凍室１１及び下冷凍室１３の各前面には、それぞれの前面開口部を開閉する引き出し式の引出扉１９，２１，２３及び２５を設けている。引出扉１９，２１，２３及び２５は、いずれも冷蔵庫本体３の図示しない各ガイドレールにガイドされて前後にスライド移動する。
【００１２】
冷蔵庫本体３の下冷凍室１３の後方下部には機械室２７を形成し、機械室２７に圧縮機２９を収容している。冷蔵庫本体３の後方の野菜室７の後側に、送風ダクト３１を形成し、送風ダクト３１の上部に冷蔵用冷気循環ファン３３を、下部に冷蔵室・野菜室用冷却器３５をそれぞれ配置している。さらに、冷蔵庫本体３の後方の製氷室９、上冷凍室１１及び下冷凍室１３の後側に、送風ダクト３７を形成し、送風ダクト３７の上部に冷凍用冷気循環ファン３９を、下部に冷凍室用冷却器４１をそれぞれ配置している。
【００１３】
冷蔵室・野菜室用冷却器３５及び冷凍室用冷却器４１は、圧縮機２９から供給される冷媒によって冷却される。冷蔵室５及び野菜室７は、冷蔵用冷気循環ファン３３と冷蔵室・野菜室用冷却器３５の動作により、それぞれ所定の設定温度に冷却して保持される。製氷室９、上冷凍室１１及び下冷凍室１３は、冷凍用冷気循環ファン３９と冷凍室用冷却器４１の動作により、それぞれ所定の設定温度に冷却して保持される。冷凍用冷気循環ファン３９付近の冷気流路内には、貯蔵室用ダンパ３９Ａを設けており、図示しない制御部は貯蔵室用ダンパ３９Ａの角度調整を行う。
【００１４】
野菜室７の引出扉１９は、野菜等の貯蔵物を収納する下部容器としての下部野菜ボックス４３を保持して収容している。下部野菜ボックス４３の上には上部容器としての上部野菜ボックス４５を載せている。上部野菜ボックス４５は、下部野菜ボックス４３に比較して容積が小さい。
【００１５】
引出扉１９は、野菜室７側の後面の上部に、前後方向に延在する図示しない容器保持アームを、左右一対備えている。一方、図３〜図５に示す下部野菜ボックス４３の上端の左右両側には、左右両側方に向けて突出する被保持突部４３ａを、下部野菜ボックス４３の前後方向の略全長に設けている。引出扉１９の容器保持アームの上に被保持突部４３ａを載せることで、下部野菜ボックス４３が引出扉１９に保持される。この状態で、下部野菜ボックス４３は引出扉１９（容器保持アーム）から上方に持ち上げることで取り外すことができる。
【００１６】
下部野菜ボックス４３は、図３〜図６に示すように、下部底壁４７、下部前壁４９、下部後壁５１及び左右の下部側壁５３，５５を備えている。下部野菜ボックス４３は、これらの壁４７，４９，５１，５３，５５に囲まれた内側に下部収納空間５７が形成され、下部収納空間５７は、上方開口部５９が形成されて上方が開口している。上記した被保持突部４３ａは、左右の下部側壁５３，５５の上部に形成されている。なお、図２に示す下部野菜ボックス４３及び上部野菜ボックス４５は、簡略化して示したもので、図３〜図６に示す下部野菜ボックス４３及び上部野菜ボックス４５とは形状が異なっている。
【００１７】
上部野菜ボックス４５は、上部底壁６１、上部前壁６３、上部後壁６５及び左右の上部側壁６７，６９を備えている。上部野菜ボックス４５は、これらの壁６１，６３，６５，６７，６９に囲まれた内側に上部収納空間７１が形成され、上部収納空間７１は上方開口部７３が形成されて上方が開口している。
【００１８】
図３のＡ−Ａ断面図である図６及び、図６のＢ部を拡大した図７に示すように、下部野菜ボックス４３の左右の下部側壁５３，５５の上部には、上部野菜ボックス４５が載せられる受部７５を設けている。下部側壁５３，５５は、図３に示すように受部７５よりも前側が、受部７５に対して上方に突出する側壁前部７６を備えている。側壁前部７６は、受部７５を備える部分の下部側壁５３，５５よりも上下方向の高さが高く、側壁前部７６の上端は下部前壁４９の上端と同一面である。
【００１９】
受部７５は、下部側壁５３，５５の上端から外側に屈曲する当接部としての下部当接面７５ａと、下部当接面７５ａの外側の端部から下方に向けて屈曲する外側フランジ７５ｂとを備えている。下部当接面７５ａは、野菜室７における左右方向の中心側（内側）が外側に対して上下方向で下方となるように水平面に対して傾斜する平面状の傾斜面である。
【００２０】
一方、上部野菜ボックス４５は、左右の上部側壁６７，６９の上部底壁６１近傍に、左右方向の外側に向けて突出する被受部７７を形成している。被受部７７は、上部底壁６１の近傍で上部底壁６１よりも上方に位置し、上部野菜ボックス４５の前側端部近傍と後側端部近傍との二箇所に設けてある。なお、被受部７７は、二箇所に限らず前後方向に断続的に三箇所以上あってもよい。各被受部７７は、受部７５の下部当接面７５ａに対向する当接部としての上部当接面７７ａを下面に備えている。上部当接面７７ａは、野菜室７における左右方向の中心側（内側）が外側に対して上下方向で下方となるように水平面に対して傾斜する平面状の傾斜面である。
【００２１】
下部野菜ボックス４３の下部当接面７５ａ及び上部野菜ボックス４５の上部当接面７７ａは、左右方向に沿って傾斜しており、水平面に対する傾斜角度が同等である。したがって、上部野菜ボックス４５を下部野菜ボックス４３の上に載せたときには、下部当接面７５ａと上部当接面７７ａとが略面接触した状態となる。左右の下部側壁５３，５５に設けてある下部当接面７５ａは左右対称形状であり、左右の上部側壁６７，６９に設けてある上部当接面７７ａは左右対称形状である。なお、左右一対の下部当接面７５ａは、必ずしも左右対称形状でなくてもよく、少なくとも左右方向に沿う傾斜方向が互いに逆方向であればよい。左右一対の上部当接面７７ａも同様にして、必ずしも左右対称形状でなくてもよく、少なくとも左右方向に沿う傾斜方向が互いに逆方向であればよい。
【００２２】
図３に示すように、前側端部近傍の被受部７７は下面に凹部７７ｋを備えており、凹部７７ｋに対応して受部７５は上面に凸部７５ｋを備えている。凹部７７ｋに凸部７５ｋが入り込むことで、図３に示すように、上部野菜ボックス４５の下部野菜ボックス４３に対する前後方向の基準位置が確保される。下部当接面７５ａ及び上部当接面７７ａの各傾斜面は、凸部７５ｋ及び凹部７７ｋにおいて同様に形成してもよく、形成しなくてもよい。
【００２３】
下部当接面７５ａと上部当接面７７ａとを当接させて上部野菜ボックス４５を下部野菜ボックス４３の上に載せた状態では、上部野菜ボックス４５の上部底壁６１を含む下部が下部野菜ボックス４３の上方開口部５９から内部の下部収納空間５７に入り込む。このとき、下部収納空間５７に入り込んだ部分の上部野菜ボックス４５の下部の左右方向の幅（左右の上部側壁６７，６９相互間の幅）は、下部収納空間５７の上方開口部５９の左右方向の幅より小さい。
【００２４】
これにより、図７に示すように、下部野菜ボックス４３の上方開口部５９近傍の下部側壁５３，５５と、上部野菜ボックス４５の上部底壁６１近傍の上部側壁６７，６９との間に、隙間Ｔが形成される。隙間Ｔをある程度の大きさにすることで、上部野菜ボックス４５を下部野菜ボックス４３に対して前後方向に移動させたときの摺動性を確保できる。また、下部野菜ボックス４３及び上部野菜ボックス４５は、部品単品のサイズが比較的大きいことから、成形後の反りや食品を入れたときに変形しやすく、相互間の隙間を狭くすることが難しい。このため、ある程度の大きさの隙間Ｔを形成することで、部品単品の製造管理が容易となる。
【００２５】
次に、上記した実施形態による作用効果を説明する。
【００２６】
本実施形態は、冷蔵庫本体３に設けられる野菜室７と、野菜室７に配置される下部野菜ボックス４３と、下部野菜ボックス４３の上に前後方向に移動自在に載せられる上部野菜ボックス４５と、を有する。下部野菜ボックス４３と上部野菜ボックス４５との左右両側部での上下方向の互いの下部当接面７５ａ及び上部当接面７７ａは、水平面に対し左右方向に沿って傾斜している傾斜面である。下部野菜ボックス４３及び上部野菜ボックス４５に設けられた左右両側部の傾斜面は、左右方向に沿う傾斜方向が互いに逆方向である。すなわち、図６中で左側（図７参照）の傾斜面は左から右に向かうに従って上下方向の高さが低くなる。逆に、図６中で右側の傾斜面は左から右に向かうに従って上下方向の高さが高くなる。
【００２７】
このため、上部野菜ボックス４５を下部野菜ボックス４３の上に載せたときには、左右両側部において、上部当接面７７ａが下部当接面７５ａにガイドされ、上部野菜ボックス４５が下部野菜ボックス４３の左右方向の略中心位置に収まることになる。これにより、上部野菜ボックス４５は、下部野菜ボックス４３との間に左右方向のクリアランス（隙間Ｔ）があっても、左右のふらつきを抑えてガタ付きを抑えることができる。
【００２８】
本実施形態は、傾斜面である下部当接面７５ａ及び上部当接面７７ａは、野菜室７の中心側が外側よりも上下方向で下方となるよう傾斜している。このため、例えば、図７において、上部野菜ボックス４５が下部野菜ボックス４３に対して左側に位置するときには、左側部では上部当接面７７ａが下部当接面７５ａを内側下方に向けて移動し、右側部では上部当接面７７ａが下部当接面７５ａを外側上方に向けて移動する。これにより、上部野菜ボックス４５は、全体として右側に移動して下部野菜ボックス４３の左右方向の略中心位置に収まることになる。
【００２９】
逆に、図７において、上部野菜ボックス４５が下部野菜ボックス４３に対して右側に位置するときには、右側部では上部当接面７７ａが下部当接面７５ａを内側下方に向けて移動し、左側部では上部当接面７７ａが下部当接面７５ａを外側上方に向けて移動する。これにより、上部野菜ボックス４５は、全体として左側に移動して下部野菜ボックス４３の左右方向の略中心位置に収まることになる。上部野菜ボックス４５は、左右方向の略中心位置に収まることで、下部野菜ボックス４３との間に左右方向のクリアランス（隙間Ｔ）があっても、左右のふらつきを抑えてガタ付きを抑えることができる。
【００３０】
本実施形態の上部野菜ボックス４５は、下部野菜ボックス４３の上に載せた状態で下部が、下部野菜ボックス４３の上方開口部５９から内部に入り込み、下部野菜ボックス４３の内部に入り込んだ部分の上部野菜ボックス４５の下部の左右方向の幅は、下部野菜ボックス４３の上方開口部５９の左右方向の幅より小さい。この場合、上部野菜ボックス４５を下部野菜ボックス４３の上に載せる際に、上部当接面７７ａが下部当接面７５ａにガイドされながら、上部野菜ボックス４５は、より確実に左右方向に移動して下部野菜ボックス４３の左右方向の略中心位置に収まることになる。
【００３１】
次に、他の実施形態について説明する。
【００３２】
図８は、下部野菜ボックス４３Ａの受部７５Ａの下部当接面７５Ａａ及び、上部野菜ボックス４５Ａの被受部７７Ａの上部当接面７７Ａａが、図６、図７の実施形態とは逆に、野菜室７の中心側が外側よりも上下方向で上方となるように傾斜している。この場合には、例えば、図８において、上部野菜ボックス４５Ａが下部野菜ボックス４３Ａに対して右側に位置するときには、左側部では上部当接面７７Ａａが下部当接面７５Ａａを外側下方に向けて移動し、右側部では上部当接面７７Ａａが下部当接面７５Ａａを内側上方に向けて移動する。これにより、上部野菜ボックス４５Ａは、全体として左側に移動して下部野菜ボックス４３Ａの左右方向の略中心位置に収まることになる。
【００３３】
逆に、図８において、上部野菜ボックス４５Ａが下部野菜ボックス４３Ａに対して左側に位置するときには、左側部では上部当接面７７Ａａが右側の下部当接面７５Ａａを内側上方に向けて移動し、右側部では上部当接面７７Ａａが下部当接面７５Ａａを外側下方に向けて移動する。これにより、上部野菜ボックス４５Ａは、全体として右側に移動して下部野菜ボックス４３Ａの左右方向の略中心位置に収まることになる。上部野菜ボックス４５Ａは、左右方向の略中心位置に収まることで、下部野菜ボックス４３Ａとの間に左右方向のクリアランス（隙間Ｔ）があっても、左右のふらつきを抑えてガタ付きを抑えることができる。
【００３４】
図９は、下部野菜ボックス４３Ｂの受部７５Ｂの下部当接面７５Ｂａが凹状の湾曲面であり、上部野菜ボックス４５Ｂの被受部７７Ｂの上部当接面７７Ｂａが凸状の湾曲面となっている。下部当接面７５Ｂａ及び上部当接面７７Ｂａの各湾曲面は、左右方向に沿って湾曲しており、左右方向の内側が外側よりも上下方向で下方となっている。
【００３５】
図９の例においても、上部野菜ボックス４５Ｂを下部野菜ボックス４３Ｂの上に載せたときには、左右両側部において、上部当接面７７Ｂａが下部当接面７５Ｂａにガイドされ、上部野菜ボックス４５Ｂが下部野菜ボックス４３Ｂの左右方向の略中心位置に収まることになる。これにより、上部野菜ボックス４５Ｂは、下部野菜ボックス４３Ｂとの間に左右方向のクリアランス（隙間Ｔ）があっても、左右のふらつきを抑えてガタ付きを抑えることができる。
【００３６】
なお、図９の例において、下部当接面７５Ｂａ及び上部当接面７７Ｂａの各湾曲面が、図８のように左右方向の内側が外側よりも上下方向で上方となっていてもよい。
【００３７】
図１０は、下部野菜ボックス４３については、図７と同様に受部７５が下部当接面７５ａを備えているが、上部野菜ボックス４５Ｃについては、被受部７７Ｃの外側の下端の角部７７Ｃａが、下部当接面７５ａに当接する当接部となっている。すなわち、図１０の例では、角部７７Ｃａが下部当接面７５ａに対して点接触あるいは線接触した状態となる。
【００３８】
図１０の例においても、上部野菜ボックス４５Ｃを下部野菜ボックス４３の上に載せたときには、左右両側部において、角部７７Ｃａが下部当接面７５ａにガイドされ、上部野菜ボックス４５Ｂが下部野菜ボックス４３の左右方向の略中心位置に収まることになる。これにより、上部野菜ボックス４５Ｃは、下部野菜ボックス４３との間に左右方向のクリアランス（隙間Ｔ）があっても、左右のふらつきを抑えてガタ付きを抑えることができる。
【００３９】
なお、図１０において、下部当接面７５ａを図９に示す下部当接面７５Ｂａと同様な凹状の湾曲面としてもよい。また、図８に示す下部野菜ボックス４３Ａの下部当接面７５Ａａに、図１０に示すような角部７７Ｃａを当接させてもよい。この場合、角部７７Ｃａを下方に突出する形状とする必要がある。
【００４０】
図１１は、上部野菜ボックス４５については、図７と同様に被受部７７が上部当接面７７ａを備えているが、下部野菜ボックス４３Ｄについては、受部７５Ｄの内側の上端の角部７５Ｄａが、上部当接面７７ａに当接する当接部となっている。すなわち、図１１の例では、角部７５Ｄａが上部当接面７７ａに対して点接触あるいは線接触した状態となる。
【００４１】
図１１の例においても、上部野菜ボックス４５を下部野菜ボックス４３Ｄの上に載せたときには、左右両側部において、上部当接面７７ａが角部７５Ｄａにガイドされ、上部野菜ボックス４５が下部野菜ボックス４３Ｄの左右方向の略中心位置に収まることになる。これにより、上部野菜ボックス４５は、下部野菜ボックス４３Ｄとの間に左右方向のクリアランス（隙間Ｔ）があっても、左右のふらつきを抑えてガタ付きを抑えることができる。
【００４２】
なお、図１１において上部当接面７７ａを、左右向に沿って湾曲する凹状の湾曲面としてもよい。また、図８に示す上部野菜ボックス４５Ａの上部当接面７７Ａａに、図１１に示すような角部７５Ｄａを当接させてもよい。この場合、角部７５Ｄａをより上方に突出する形状とする必要がある。
【００４３】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００４４】
例えば、上記した実施形態では、上部野菜ボックス４５の被受部７７を前後方向に沿って二箇所設けているが、前後方向に沿って断続的に三箇所以上設けてもよく、断続的とせずに、受部７５と同様に連続的に設けてもよい。被受部７７を連続的に設ける場合には、受部７５を前後方向に沿って断続的に複数設けてもよい。
【００４５】
上記した各実施形態では、野菜室７の下部野菜ボックス４３，４３Ａ，４３Ｂ，４３Ｄ及び上部野菜ボックス４５，４５Ａ，４５Ｂ，４５Ｃについて説明したが、他の冷凍室や冷蔵室などの貯蔵室に下部容器及び上部容器を配置したものについても本発明を適用できる。
【符号の説明】
【００４６】
１  冷蔵庫
３  冷蔵庫本体
７  野菜室（貯蔵室）
４３，４３Ａ，４３Ｂ，４３Ｄ  下部野菜ボックス（下部容器）
４５，４５Ａ，４５Ｂ，４５Ｃ  上部野菜ボックス（上部容器）
５９  下部野菜ボックスの上方開口部
７５ａ，７５Ａａ，７５Ｂａ  下部野菜ボックスの下部当接面（傾斜面、当接部）
７７ａ，７７Ａａ，７７Ｂａ  上部野菜ボックスの上部当接面（傾斜面、当接部）
７５Ｄａ  下部野菜ボックスの角部（当接部）
７７Ｃａ  上部野菜ボックスの角部（当接部）
【図１】
2019002600.tif 000003
【図２】
2019002600.tif 000004
【図３】
2019002600.tif 000005
【図４】
2019002600.tif 000006
【図５】
2019002600.tif 000007
【図６】
2019002600.tif 000008
【図７】
2019002600.tif 000009
【図８】
2019002600.tif 000010
【図９】
2019002600.tif 000011
【図１０】
2019002600.tif 000012
【図１１】
2019002600.tif 000013